(57)【要約】【課題】遮光フードが取り付けられた液晶モニタ付カメラの操作性及び意匠性を向上させる。【解決手段】遮光フードユニット８は、液晶モニタ４の画像表示面４ａに照射される外光を遮光する遮光位置と、カメラ本体２ａの背面全体を覆う保護位置との間で変位する。遮光フードユニット８の上板１０には、磁石２０が埋め込まれている。カメラ本体２ａには、上板１０が保護位置に変位して磁石２０と対面する位置に、磁石２０からの磁気を検出する磁気センサ２１が設けられている。デジタルカメラ２は、磁気センサ２１により、遮光フードユニット８が保護位置から遮光位置に変位したことが検出された場合にカメラ本体２ａの電源をオンし、遮光フードユニット８が遮光位置から保護位置に変位したことが検出された場合にカメラ本体２ａの電源をオフする。【選択図】        図２
2004245998.tif 000002
【特許請求の範囲】
【請求項１】
液晶モニタが設けられたカメラ本体に取り付けられ、前記液晶モニタの画像表示面に照射される外光を遮光する遮光位置と、前記画像表示面を覆う保護位置との間で変位する遮光フードと、
前記遮光フードが遮光位置及び保護位置の一方から他方へ変位したことを検出する検出手段と、
前記検出手段により、前記遮光フードが遮光位置に変位したことが検出された場合にカメラの電源をオンし、遮光フードが保護位置に変位したことが検出された場合にカメラ本体の電源をオフする電源投入手段とを設けたことを特徴とする液晶モニタ付カメラ。
【請求項２】
前記カメラ本体には、液晶モニタと同一の面に、操作ボタン、スピーカの少なくとも一方が設けられており、前記保護位置では、遮光フードが前記液晶モニタの画像表示面とともに、前記操作ボタン、スピーカの各部位を覆うことを特徴とする請求項１記載の液晶モニタ付カメラ。
【請求項３】
前記遮光フードは、カメラ本体に着脱自在であり、カメラ本体には、前記カメラ本体から遮光フードが取り外されたか否かを検出する検出手段と、その検出結果に基づいて液晶モニタの輝度を調節する輝度調整手段とが設けられていることを特徴とする請求項１及び２記載の液晶モニタ付カメラ。
【発明の詳細な説明】
【０００１】
【発明の属する技術分野】
本発明は、カメラ本体に着脱自在に取り付けられ、液晶モニタの画像表示面に照射される外光を遮光する遮光フードを備えた液晶モニタ付カメラに関するものである。
【０００２】
【従来の技術】
屋外で使用されるテレビや、液晶モニタ付デジタルカメラ及びビデオカメラには、画像表示面に太陽光等の外光が照射されて画像が見えにくくなることを防止するために、着脱自在な遮光フードが取り付けられる場合がある。例えば、液晶モニタ付デジタルカメラに取り付けられた遮光フードの１つに、画像表示面に照射される外光を遮光する遮光位置と、画像表示面を覆う保護位置との間で変位するものがある。このような遮光フードでは、遮光位置に変位されたときに画像表示面が上板及び左右の側板によって三方から取り囲まれるようにし、保護位置に変位されたときに左右の側板が内側に向けて折り畳まれるとともに、上板で側板と画像表示面とが覆われるようにして画像表示面を保護している。
【０００３】
また、このような液晶モニタ付デジタルカメラでは、遮光フードが遮光位置に変位したことが検出された場合に液晶モニタの電源をオンし、遮光フードが保護位置に変位したことが検出された場合に液晶モニタの電源をオフするように液晶モニタの電源が制御される。これにより、液晶モニタ付デジタルカメラの無駄な電力消費を抑えて電池寿命の延長を図るようにしている。（例えば、特許文献１参照）。
【０００４】
【特許文献１】特開平８−４４３０１号公報
【０００５】
【発明が解決しようとする課題】
ところで、近年、デジタルカメラ、ビデオカメラ等の液晶モニタを備えた製品において、小型化が進む一方、より大きな液晶モニタを搭載したいといった要望がある。このため、液晶モニタを設置して限定されたスペースに、操作ボタンやスピーカ等の構成要素をいかに操作性よく設置するか、また、設置すべき構成要素の選定等が課題となっている。しかし、上述したような遮光フードが取り付けられると、構成部品の設置スペースが更に限定されてしまうため、液晶モニタを備えた製品の小型化が困難になるという問題があった。
【０００６】
また、上述したような液晶モニタ付デジタルカメラでは、遮光フードが保護位置に変位されると左右の側板と上板とが重なり合うため、遮光フードが液晶モニタの周囲の面より高く張り出してしまい意匠性に欠けるという問題があった。
【０００７】
本発明は、上記課題を解決するためのもので、遮光フードを設けながらも、小型化を図り、且つ、操作性及び意匠性を向上させることができる液晶モニタ付カメラを提供することを目的とする。
【０００８】
【課題を解決するための手段】
上記目的を達成するために、本発明の液晶モニタ付カメラは、液晶モニタが設けられたカメラ本体に取り付けられ、前記液晶モニタの画像表示面に照射される外光を遮光する遮光位置と、前記画像表示面を覆う保護位置との間で変位する遮光フードと、前記遮光フードが遮光位置及び保護位置の一方から他方へ変位したことを検出する検出手段と、前記検出手段により、前記遮光フードが遮光位置に変位したことが検出された場合にカメラの電源をオンし、遮光フードが保護位置に変位したことが検出された場合にカメラ本体の電源をオフする電源投入手段とを設けたことを特徴とするものである。
【０００９】
また、前記カメラ本体には、液晶モニタと同一の面に、操作ボタン、スピーカの少なくとも一方が設けられており、前記保護位置では、遮光フードが前記液晶モニタの画像表示面とともに、前記操作ボタン、スピーカの各部位を覆うことを特徴とするものである。
【００１０】
また、前記遮光フードは、カメラ本体に着脱自在であり、カメラ本体には、前記カメラ本体から遮光フードが取り外されたか否かを検出する検出手段と、その検出結果に基づいて液晶モニタの輝度を調節する輝度調整手段とが設けられていることを特徴とするものである。
【００１１】
【発明の実施の形態】
図１は、本発明のデジタルカメラ２の後面の外観を示す斜視図である。デジタルカメラ２の前面には、被写体に向けてストロボ光を照射するストロボ発光部、撮影レンズが組み込まれたレンズ鏡筒（図示せず）が設けられている。デジタルカメラ２の上面には、シャッタレリーズ操作に用いられるシャッタボタン３が設けられ、背面には、画像表示用の液晶モニタ４，スピーカー５、モード選択ボタン６、マルチオペレーションボタン７が設けられており、背面全体には、液晶モニタ４に照射される外光を遮光する遮光フードユニット８が着脱自在に取り付けられる。
【００１２】
モード選択ボタン６はスライド操作可能に設けられており、モード選択ボタン６を操作すると、撮影を行う撮影モード、撮影画像を再生する再生モード、各種設定を行うセットアップモード等の各種のモードが選択される。マルチオペレーションボタン７は、メニュー画面内の各種項目を選択するカーソルの移動や、項目の選択等に使用される。液晶モニタ４は電子ビューファインダとして使用され、撮影モードが選択されているときに、被写体を確認するスルー画が表示される。また、再生モードが選択されているときには、撮影画像が再生表示され、セットアップモードではメニュー画面が表示される。
【００１３】
遮光フードユニット８は、取付枠９、上板１０、左板１１、右板１２から構成されており、それぞれがＡＢＳ樹脂等の比較的耐衝撃性に優れる樹脂部材から形成されている。遮光フードユニット８は、取付枠９に設けられた係合部１３をカメラ本体２ａに設けられた係合穴１４に係合させるとともに、取付枠９の左端９ａ及び右端９ｂでカメラ本体２ａを両側から狭持することにより、カメラ本体２ａの背面に位置決めされて固定される。
【００１４】
遮光フードユニット８は、カメラ本体２ａに取り付けられた状態で、液晶モニタ４の画像表示面４ａに照射される外光を遮光する遮光位置と、カメラ本体２ａの背面全体を覆う保護位置との間で変位する。図２、図３は、遮光位置及び保護位置における遮光フードユニット８の状態を示している。上板１０及び左右の側板１１，  １２は、軸１５，  １６，  １７によって取付枠９の上部、左部、右部にそれぞれ軸着されている。左右の側板１１，  １２は、軸１６，  １７に取り付けられたバネ１８，  １９により、保護位置から遮光位置に向けてバネ付勢されている。遮光フードユニット８は、遮光位置に変位されたときに液晶モニタ４の画像表示面４ａが上板１０及び左右の側板１１，  １２によって三方から取り囲まれるようにし、保護位置に変位されたときに左右の側板１１，  １２が画像表示面４の前面に回動され、上板１０で左右の側板１１，  １２を挟み込んでカメラ本体２ａの背面全体を覆う。
【００１５】
上板１０には、その端部に磁石２０が埋め込まれており、カメラ本体２ａには、上板１０が保護位置に変位して磁石２０と対面する位置に磁気センサ２１が設けられている。磁気センサ２１は、上板１０が遮光位置及び保護位置の一方から他方へ変位されるとともに、磁石１９による磁界の変動を検出する。デジタルカメラ２は、磁気センサ２１により、遮光フードユニット８が遮光位置に変位したことが検出された場合にカメラの電源をオンし、遮光フードユニット８が保護位置に変位したことが検出された場合にカメラ本体の電源をオフする。
【００１６】
カメラ本体２ａの係合穴１４には、その内部に反射型フォトセンサ２２が設けられており、反射型フォトセンサ２２は、遮光フードユニット８の係合部１３が係合穴１４に係合していることを検出する。デジタルカメラ２は、反射型フォトセンサ２２により、遮光フードユニット８が装着されたことが検出された場合に液晶モニタ４の輝度を下げる。
【００１７】
図４は、デジタルカメラ２の電気的構成を示すブロック図である。システムコントローラ３０は、デジタルカメラ２の制御用シーケンスのプログラムやパラメータ等が格納されているＲＯＭと、このプログラムにしたがってシーケンスを実行するＣＰＵと、各種シーケンスの遂行に必要なデータを一時的に格納するワークエリアとして用いられるＲＡＭとから構成されている。
【００１８】
システムコントローラ３０は、シャッタボタン３、モード選択ボタン６、マルチオペレーションボタン７からの操作信号、及び、磁気センサ２１、反射型フォトセンサ２２からの検出信号の入力に応じてデジタルカメラ２の各部を制御する。液晶ドライバ３９は液晶モニタ４を駆動し、電源スイッチ４０がオンされたときに各モードに応じた画像データを表示させる。
【００１９】
モード選択ボタン６によって撮影モードが選択されると、撮影レンズ３１，  ＣＣＤイメージセンサ３２，  Ａ／Ｄコンバータ３４等が作動され、液晶モニタ４からＣＣＤイメージセンサ３２によって取り込まれたスルー画が表示される。スルー画が表示された状態で、シャッタボタン３が全押しされて撮影指示がなされると、スルー画の取り込みがいったん中断される。撮影が行われると画像データががデジタルデータに変換される。デジタル化された画像データは、画像信号処理を施されて内蔵メモリ３６に一時的に記憶された後、圧縮処理を施されてメモリカード３８に書き込まれる。スルー画の取り込みが中断された状態では、内蔵メモリ３６に一時的に記憶された画像データが表示される。撮影が終了するとスルー画の取り込みが再開され、液晶モニタ４にスルー画像が再表示される。
【００２０】
再生モードでは、メモリカード３８に書き込まれている画像データが伸張処理を施されて液晶モニタ４に表示される。セットアップモードでは、メニュー画面が表示される。
【００２１】
磁気センサ２１は、磁石２０の変位による磁界の変動を検出し、システムコントローラ３０にこの検知信号を送信する。システムコントローラ３０は、この検知信号に基づいて、遮光フードユニット８が保護位置から遮光位置に変位したと判断した場合に電源スイッチ４０をオンし、遮光フードユニット８が遮光位置から保護位置に変位したと判断した場合に電源スイッチ４０をオフする。
【００２２】
反射型フォトセンサ２２は、カメラ本体２ａの係合穴１４の内壁に設けられた一対の投光部と受光部とから構成され、投光部が発光する光が遮光フードユニット８の係合部１３に遮光されることにより、係合部１３が係合穴１４に係合されていることを検出し、システムコントローラ３０にこの検知信号を送信する。システムコントローラ３０は、この検出信号に基づいて、輝度調整ドライバ４１を駆動して液晶モニタ４の輝度を下げる。
【００２３】
次に、上記実施例における作用について説明する。ユーザは、デジタルカメラ２を使用して屋外で撮影を行う場合に、デジタルカメラ２の背面に遮光フードユニット８を取り付ける。この際、遮光フードユニット８の係合部１３を係合穴１４に係合させるとともに、取付枠９の両端９ａ，  ９ｂでカメラ本体２ａを両側から狭持することにより、遮光フードユニット８をカメラ本体２ａの背面に位置決めして固定する。次に、遮光フードユニット８の上板１０を保護位置から遮光位置に変位させる。このとき、上板１０の下部を手前に引くようにして保護位置を保持するホックを外すと、左右の側板１１，  １２が軸１６，  １７をそれぞれ中心にして画像表示面４ａの前面から両側に回動するとともに、上板１０を上方に押し上げる。遮光位置では、画像表示面４ａを上板１０及び左右の側板１１，  １２の三方から取り囲むようにして画像表示面４に照射される外光を遮光する。上板１０が遮光位置に向けて変位されると、磁気センサ２１によって磁石２０の変位による磁界の変動が検出され、この検出信号がシステムコントローラ３０に送信される。システムコントローラ３０は、この検出信号に基づいて、上板１０が保護位置から遮光位置に変位したと判断した場合に電源スイッチ４０をオンする。
【００２４】
撮影終了後には、上板１０の下部を押し下げて再び保護位置に変位させる。このとき、上板１０の回動に従って、左右の側板１１，  １２が画像表示面４ａの両側から前面に回動され、上板１０で左右の側板１１，  １２を挟み込んでカメラ本体２ａの背面全体を覆う。上板１０が保護位置に向けて変位されると、遮光位置に向けて変位されたときと同様にして磁気センサ２１によって磁界の変動が検出され、この検出信号がシステムコントローラ３０に送信される。システムコントローラ３０は、この検出信号に基づいて、上板１０が遮光位置から保護位置に変位したと判断した場合に電源スイッチ４０をオフする。
【００２５】
また、遮光フードユニット８をカメラ本体２ａに取り付けた際には、反射型フォトセンサ２２によって遮光フードユニット８の係合部１３がカメラ本体２ａに設けられた係合穴１４に挿入されていることが検出され、この検出信号がシステムコントローラ３０に送信される。システムコントローラ３０は、この検出信号に基づいて、輝度調整ドライバ４１を駆動し、液晶モニタ４の輝度を下げる。
【００２６】
上述したように、デジタルカメラ２は、遮光フードユニット８の上板１０が変位することを検出して電源スイッチ４０を切り替えるようにしたから、電源ボタンを設置する必要性がなくなるとともに、電源ボタンを押圧して電源をオンする手間を省くことができる。また、保護位置では、上板１０がカメラ本体２ａの背面全体を覆うようにしたから、遮光フードを装着したときの外観の凹凸をなくすことができる。
【００２７】
上記実施例によれば、上板１０に埋め込まれた磁石２０及びカメラ本体２ａに設けられた磁気センサ２１により、遮光フードユニット８の変位を検出するが、磁石２０と磁気センサ２１の代わりに検出用爪と検出スイッチを用いてもよい。
【００２８】
上記実施例によれば、遮光フードユニット８がカメラ本体２ａに装着されたときに液晶モニタ４の輝度を下げるが、液晶モニタ４の輝度を上げるようにしてもよい。また、遮光フードユニット８が取り外されたときにも液晶モニタ４の輝度を調整するようにしてよい。
【００２９】
【発明の効果】
以上のように、本発明の液晶モニタ付カメラによれば、カメラ本体に取り付けられ、液晶モニタの画像表示面に照射される外光を遮光する遮光位置と、画像表示面を覆う保護位置との間で変位する遮光フードと、遮光フードが遮光位置及び保護位置の一方から他方へ変位したことを検出する検出手段と、この検出手段により、遮光フードが遮光位置に変位したことが検出された場合にカメラの電源をオンし、遮光フードが保護位置に変位したことが検出された場合にカメラ本体の電源をオフする電源投入手段とを設けたから、従来カメラの構成要素とされていた電源ボタンを設置する必要性がなくなり、電源ボタンを押圧して電源をオンする手間を省くことができた。これにより、従来技術に勝る操作性が得られた。
【００３０】
また、保護位置では、遮光フードが液晶モニタの画像表示面とともに、液晶モニタと同一の面に設けられた操作ボタン、スピーカの各部位を覆ってカメラの背面全体を保護するようにしたから、遮光フードの装着による凹凸がなくなり、カメラの外観の意匠性を向上させることができた。更に、カメラ未使用時における、外部衝撃からの保護、防塵の機能を果たすことができた。
【図面の簡単な説明】
【図１】本発明のデジタルカメラの背面の外観を示す斜視図である。
【図２】保護位置における遮光フードの状態を示す斜視図である。
【図３】遮光位置における遮光フードの状態を示す斜視図である。
【図４】デジタルカメラの電気的構成を示すブロック図である。
【符号の説明】
２  デジタルカメラ
２ａ  カメラ本体
４  液晶モニタ
５  スピーカ
６  モード選択ボタン
７  マルチオペレーションボタン
８  遮光フードユニット
９  取付枠
１０  上板
１１  左板
１２  右板
２０  磁石
２１  磁気センサ
２２  反射型フォトセンサ
３０  システムコントローラ
４０  電源スイッチ
４１  輝度調整ドライバ
【図１】
2004245998.tif 000003
【図２】
2004245998.tif 000004
【図３】
2004245998.tif 000005
【図４】
2004245998.tif 000006